(57)【要約】      （修正有）【課題】自転車の後部位置に設置されるチャイルドシートにおいて好適に使用される自転車用風防を提供する。【解決手段】自転車の後部に設置されるチャイルドシート用の自転車用風防であり、基部が自転車の後部に固定され、端部２２それぞれがチャイルドシート３０の後部上端より上方に突出してチャイルドシート３０の後部に並設配置される複数本の支持ポール２０と、下方が開放するとともに前面が開き状態となる透明の樹脂シートよりなる袋状の風防本体２とからなる。風防本体２の内面上部の後方位置それぞれが支持ポール２０の端部２２それぞれで支持されて、風防本体２がチャイルドシート３０を覆うように装着される。【選択図】図２
0003179534.tif 000002
【実用新案登録請求の範囲】
【請求項１】
自転車の後部に設置されるチャイルドシート用の自転車用風防であり、
自転車の後部に固定されて設けられ、端部それぞれが前記チャイルドシートの後部上端より上方に突出して前記チャイルドシートの後部に並設配置される複数本の支持ポールと、
下方が開放するとともに前面が開き状態となる透明の樹脂シートよりなる袋状の風防本体とからなり、
前記風防本体の内面上部の後方位置それぞれが前記支持ポールの前記端部それぞれで支持されて、前記風防本体が前記チャイルドシートを覆うように装着されて構成されることを特徴とするチャイルドシート用の自転車用風防。
【請求項２】
前記風防本体の前面が面ファスナーによりその閉じ状態が維持される請求項１記載のチャイルドシート用の自転車用風防。
【請求項３】
前記風防本体の装着固定が、前記風防本体の後部の離反する部分が互いに重ね合わされ面ファスナーにより固定されて行われる請求項１記載のチャイルドシート用の自転車用風防。
【請求項４】
前記支持ポールが前記チャイルドシートの後部に固定ベルトにより固定される請求項１記載のチャイルドシート用の自転車用風防。
【考案の詳細な説明】
【技術分野】
【０００１】  この考案は、自転車の後部に設置されるチャイルドシート用の自転車用風防に関する。
【背景技術】
【０００２】  自転車において、後部位置においても小さな子供を乗せることができるチャイルドシートが汎用されている。
【考案の概要】
【考案が解決しようとする課題】
【０００３】  この考案では、自転車の後部位置に設置されるチャイルドシートにおいて好適に使用される自転車用風防を提供することを目的とする。
【課題を解決するための手段】
【０００４】  この考案は、自転車の後部に設置されるチャイルドシート用の自転車用風防であり、基部が自転車の後部に固定されて、端部それぞれが前記チャイルドシートの後部上端より上方に突出して前記チャイルドシートの後部に並設配置される複数本の支持ポールと、下方が開放するとともに前面が開き状態となる透明の樹脂シートよりなる袋状の風防本体とからなり、前記風防本体の内面上部の後方位置それぞれが前記支持ポールの前記端部それぞれで支持されて、前記風防本体が前記チャイルドシートを覆うように装着されて構成されることを特徴とするものである。【０００５】  上記構成の自転車用風防は、袋状の風防本体が上方から装着されることで、その内面上部の後方位置それぞれが自転車の後部に設置されるチャイルドシートの後部上端より上方に突出するように並設配置される複数本の支持ポールの端部のそれぞれで支持されてチャイルドシートを覆うように取り付けられるので、風防本体が容易に、かつ、所定位置に安定支持されるとともに、風防本体が頭に触れることがないので子供は居心地よくチャイルドシート上に座ることができる。さらに、風防本体の前面が開き状態とされていることでそこから子供を風防本体内に出入りさせることができるので、子供の出入りの度に風防を取り付けたり取り外したりする手間がかからない。【０００６】  風防本体の前面が面ファスナーによりその閉じ状態が維持されることで、風防本体内への風、雨水の侵入が防がれる。また、風防本体の装着固定が、風防本体の後部の離反する部分が互いに重ね合わされ面ファスナーにより固定されて行われることで、風防本体が容易、かつ、安定した状態に装着固定される。また、支持ポールがチャイルドシートの後部に固定ベルトにより固定されることで、支持ポールが安定し、それに伴って風防本体も安定支持される。
【考案の効果】
【０００７】  この考案によれば、自転車の後部のチャイルドシートに容易に所定位置に安定して取り付けることができるとともに、その内部において子供は居心地よくチャイルドシート上に座ることができるチャイルドシート用の自転車用風防が得られる。さらに、風防本体の前面から子供を風防本体内に出入りさせることができ子供の出入りの度に風防を取り付けたり取り外したりする手間がかからない使用に便利なチャイルドシート用の自転車用風防が得られる。
【図面の簡単な説明】
【０００８】
【図１】  この考案のチャイルドシート用の自転車用風防の実施形態の分解斜視図
【図２】  この考案のチャイルドシート用の自転車用風防の実施形態の使用説明図
【図３】  この考案のチャイルドシート用の自転車用風防の実施形態の部分拡大説明図
【図４】  この考案のチャイルドシート用の自転車用風防の実施形態の使用説明図
【考案を実施するための最良の形態】
【０００９】  図１はこの考案のチャイルドシート用の自転車用風防の分解斜視図であり、自転車用風防１は風防本体２と支持部材３とからなる。【００１０】  風防本体２は六角形の両側面部４、４と上面部６と上前面部８と下前面部１０と上後面部１２とからなり、後方から下方にかけては開放部９となっている。それぞれの面部４、４、６、８、１０、１２はある程度厚みがあり若干の剛性を備える透明のビニールシートよりなり、それらの側縁が縁材１５で接続固定されて全体が袋状に構成されている。【００１１】  上面部６と上前面部８と下前面部１０とは中央位置で縦方向において所定幅重ね状態となる２枚のシート１１ａ、１１ｂにより構成されていることで中央で縦方向において開き状態とできるようになっている。２枚のシート１１ａ、１１ｂの重ね縁の相対する内面と外面とには連続して面ファスナー１７が取り付けられていて、その面ファスナー１７によって上面部６と上前面部８と下前面部１０とはその閉じ状態が維持される。シート１１ａ、１１ｂと上後面部１２を構成するシート１２ａとは頂部１９において熱シールされることで接続されている。また、下前面部１０におけるシート１１ａ、１１ｂの下端の重なる部分はともに切り欠かれてそこに切欠き部１８が形成されており、この切欠き部１８があることで自転車の後部泥除けカバーが邪魔となることなく風防本体２が装着できるようになっている。両側面部４、４の後下角部それぞれの近傍の内面と外面の対応する位置それぞれには面ファスナー１９の雄片１９ａと雌片１９ｂとが取り付けられている。【００１２】  支持部材３は一対の鋼材よりなる同形状の支持ポール２０、２０がその略中間位置で鉄製の連結部材２３により一体に固定されて構成されている。支持ポール２０、２０のそれぞれは前方に突出する上折れ曲がり片２２、２２（端部）と下折れ曲がり片（基部）２４、２４とを備え、上折れ曲がり片２２、２２より長く突出する下折れ曲がり片２４、２４の先端には固定穴が備えられた固定面部２５、２５が連続一体に設けられている。連結部材２３は２枚の連結片２７、２７がその両端位置において前後から支持ポール２０、２０を挟む状態に固定することで支持ポール２０、２０を一体に固定している。【００１３】  以下、自転車用風防１の自転車の後部チャイルドシートへの取り付け使用について説明する。まず、支持ポール２０、２０の下折れ曲がり片２４、２４それぞれの固定面部２５、２５のそれぞれが自転車の後部に取り付けられたチャイルドシート３０（図２参照）の下方に差し入れられ、チャイルドシートを自転車後部に固定するネジを兼用して固定することで支持部材３が自転車に取り付けられる。その支持部材３の支持ポール２０、２０それぞれを開放部９に通すようにして上方から、図１に示すように、上前面部８と下前面部１０を前側として風防本体２を装着する。【００１４】  図２はその装着状態を示し、風防本体２はその上面部６の内面の後方位置それぞれが支持ポール２０、２０それぞれの上折れ曲がり片２２、２２により支持され、チャイルドシート３０の全体を覆うように取り付けられる。風防本体２の上面部６の内面の後方位置には、図３に示すように、上折れ曲がり片２２、２２の支持穴片２９、２９が一体に付設されており、装着時には面ファスナー１７を外してシート１１ａ、１１ｂを開くことによりその支持穴片２９、２９内に上折れ曲がり片２２、２２を後方から挿通させる。これにより上折れ曲がり片２２、２２は所定位置において安定して風防本体２を支持する。【００１５】  ４０は別途用いられる固定ベルトであり、支持ポール２０、２０それぞれをヘッドレスト３１の支持バー４１、４１それぞれに固定ベルト４０により一体に固定しておくことで、支持部材３が安定し、それに伴って風防本体２も安定支持される。【００１６】  図４は風防本体２装着時の背部の状態を示す。風防本体２の両側面部４、４の後下角部それぞれが後方に引き寄せられて重ねられ、そこにある面ファスナー１９の雄片１９ａと雌片１９ｂとが合され固定されている。これにより、風防本体２は容易に、かつ、その下部が下方に垂れ下がることなく見栄えの良い状態に装着固定される。【００１７】  上記風防本体２が装着された自転車用風防１の使用において、上折れ曲がり片２２、２２がチャイルドシート３０のヘッドレスト３１の上端より上方に突出するように位置しているので、チャイルドシート３０に座る子供の頭に風防本体２の上面部６が接触することがない。面ファスナー１７、１８を外し２枚のシート１１ａ、１１ｂを離脱させることで上面部６と両上前面部８と下前面部１０とはその中央位置で縦方向に開かれ、そこからチャイルドシート３０への子供の出入りがなされる。これにより、風防本体２を自転車に取り付けたままにおいて子供の出入りがおこなわれる。例えば、雨の日に子供を連れて買い物に行きスーパーマーケットで自転車用風防１そのままにして子供をおろし、買い物終了時にはその自転車用風防１内に子供を入れて帰ることができ、子供の出入りの度に風防を取り付けたり取り外したりする手間がかからないので非常に便利である。
【符号の説明】
【００１８】１    自転車用風防
２    風防本体
３    支持部材
２０  支持ポール
２２  上折れ曲がり片（端部）
２４  下折れ曲がり片（基部）
３０  チャイルドシート
【図１】
0003179534.tif 000003
【図２】
0003179534.tif 000004
【図３】
0003179534.tif 000005
【図４】
0003179534.tif 000006